(57)【要約】【課題】  コントローラと本体との間に段差を生じることなくフラット状態にして外観性を向上させるとともに、本体に荷重が掛かってもコントローラと本体との間に隙間が発生することを防止し、且つ発熱線に無理な押圧力が掛からないようにして安全性を向上させた電気カーペットを提供することを目的とする。【解決手段】  コントローラ２の上ケース７は先端部に向かい傾斜して形成され、カーペット１の表地３は上ケース７の内壁面と、支持部材１０の基材１０ａとに挟持されるとともに、基材１０ａの上面に形成された三角錐状の押圧ピン１０ｃにより上ケース７の内壁面に向かい押圧され、上ケース７と表地３との間に隙間が生じないように防止される。また、発熱線５が、下ケース８の底面と支持部材１０の基材１０ａで発熱線５の通路を形成し、発熱線５に余分な押圧力が掛かることを防止できるようになっている。【選択図】図５
2011058723.tif 000002
【特許請求の範囲】
【請求項１】
発熱線を表地と裏地との間に配設した本体と、前記本体に取付られ、前記発熱線の温度制御を行うコントローラとからなる電気カーペットにおいて、
前記コントローラは上ケースと下ケースを有し、前記上ケースの本体取付側内壁面に複数の凸部または凹部を設け、前記下ケースの本体取付側内壁面に複数の凸部または凹部を設けるとともに、平板状の基材と、同基材の上面に形成され前記上ケースの凸部または凹部に嵌合される凹部または凸部と、同基材の下面に形成され前記下ケースの凸部または凹部に嵌合される凹部または凸部とを設けた支持部材を備え、前記本体の表地と裏地に前記凸部及び／または、凹部を挿通し、前記本体を前記コントローラに固定する挿通孔を設けてなり、
前記上ケースの内壁面と前記基材の上面とで前記表地を挟持し、前記下ケースの内壁面と前記基材の下面とで前記裏地を挟持して、前記本体に前記コントローラを固定することを特徴とする電気カーペット。
【請求項２】
前記基材の上面に、前記表地を前記上ケースの内壁面に押圧する押圧凸部を複数形成してなることを特徴とする請求項１に記載の電気カーペット。
【請求項３】
前記上ケースの前記カーペット取付側が、先端部に向かい傾斜して形成されてなることを特徴とする請求項１に記載の電気カーペット。
【発明の詳細な説明】
【技術分野】
【０００１】
本発明は、電気カーペットに関わり、より詳細にはコントローラと本体との固定構造に関する。
【背景技術】
【０００２】
従来の電気カーペットは、例えば、図６（Ａ）に示すように、電気カーペット３０は、発熱体を内蔵し、表地３３と裏地３４とからなる本体３１と、発熱体の温度制御を行う制御基板を内蔵し、上ケース３５と下ケース３６とからなるコントローラ３２とから構成されており、コントローラ３２には本体接続口が形成されている。
【０００３】
コントローラ３２の上ケース３５の内壁面には孔を穿設したボス３５ｂが垂下され、下ケース３６の内壁面にはボス３５ｂの孔に対応したピン３６ｂが立設されている。本体３１のコントローラ３２との固定部にはピン３６ｂに対応した複数の孔が穿設されており、同孔にピン３６ｂを挿通するとともに、同ピン３６ｂの先端部をボス３５ｂの孔に挿入することにより、本体３１とコントローラ３２とが固定されるようになっている。
【０００４】
また、上ケース３５と下ケース３６には本体接続口を形成するリブ３５ａとリブ３６ａとが夫々設けられており、本体３１はこれらリブ３５ａとリブ３６ａに挟まれてコントローラ３２に接続されるようになっている。上ケース３５のリブ３５ａは下ケース３６のリブ３６ａに比較して長めに形成され、下端部にノコギリ歯を備えており、同リブ３５ａに押圧されて表地３３は窪んだ状態でコントローラ３２に挟持されるようになっている。すなわち、リブ３５ａで表地３３を押圧する構造のため、螺子止固定した際、上ケース３５と表地３３との間に隙間とともに段差が生じ、上ケース３５の上面と表地３３の表面とが外観上、フラットに見えず見栄えが悪いという問題があった。また、表地３３がクッション性の良い不織布である場合には問題とならないが、表面が硬く、フラットな材料、例えばクッションフロア、ＰＰフィルム等を用いた場合、生じる隙間が大きくなり使用者の指が隙間に挟みこまれる等の虞があった。
【０００５】
上記した問題を解決するため、図６（Ｂ）に示すように、電気カーペット４０は、コントローラ４２の上ケース４５にリブを設けず、下ケース４６のリブ４６ａを上方に延出しており、本体４１の裏地４４がリブ４６ａにより大きく上方に窪んでコントローラ４２と本体４１が接続されるようになっている。これにより上ケース４５と表地４３との間に段差を生じさせずフラット状態となるようにして外観性を向上させるようになっている。
【０００６】
しかしながら、本体４１からコントローラ４２に引き込まれる点線で示す発熱線４７にリブ４６ａからの押圧力が加わるとともに、発熱線４７が曲がった状態でコントローラ４２に内蔵される制御基板４８に接続されるので、発熱線４７と制御基板４８との接続がしにくくなり製造工程が困難になる等の不具合があった。さらに、上ケース４５にはリブが無いので、リブ４６ａを上方に延出しなければ、上ケース４５近傍の本体４１に人が乗ると、荷重によりクッション製の高い裏地４４が下方向に圧縮し、上ケース４５と本体４１との間に隙間が生じて、生じた隙間に指等が挟み込まれる虞があった。
【０００７】
外観性を向上させた他の実施例として、例えば特許文献１に開示されているように、発熱体を表面材と裏面材との間に挟持した本体と、コントロール部を有する配線ケースとで電気カーペットを構成し、本体と配線ケースを表面材で覆うとともに、表面材の端面を固定する固定部を配線ケースに設けることにより、外観性を向上させながら、本体端面のめくれ、あるいは繊維のほつれを防止する電気カーペットが知られている。しかしながら、この先行技術においても、荷重により固定部と表面材との間に隙間が生じてしまう虞がある。
【先行技術文献】
【特許文献】
【０００８】
【特許文献１】実開昭６０−２８３１５号（３頁、図４）
【発明の概要】
【発明が解決しようとする課題】
【０００９】
本発明は、上記問題点に鑑み、コントローラの上ケースと、本体の表地との間に段差を生じることなく極力フラットな状態にして外観性を向上させるとともに、これらの間に指を挟み込むような隙間が発生することを防止して安全性を向上させ、且つコントローラと本体との間に設けられる発熱線に無理な押圧力が掛からないようにして電気的な安全性も向上させた電気カーペットを提供することを目的とする。
【課題を解決するための手段】
【００１０】
本発明は、上記課題を解決するため、発熱線を表地と裏地との間に配設した本体と、前記本体に取付られ、前記発熱線の温度制御を行うコントローラとからなる電気カーペットにおいて、前記コントローラは上ケースと下ケースを有し、前記上ケースの本体取付側内壁面に複数の凸部または凹部を設け、前記下ケースの本体取付側内壁面に複数の凸部または凹部を設けるとともに、平板状の基材と、同基材の上面に形成され前記上ケースの凸部または凹部に嵌合される凹部または凸部と、同基材の下面に形成され前記下ケースの凸部または凹部に嵌合される凹部または凸部とを設けた支持部材を備え、前記本体の表地と裏地に前記凸部及び／または、凹部を挿通し、前記本体を前記コントローラに固定する挿通孔を設けてなり、前記上ケースの内壁面と前記基材の上面とで前記表地を挟持し、前記下ケースの内壁面と前記基材の下面とで前記裏地を挟持して、前記本体に前記コントローラを固定する構成となっている。
【００１１】
また、前記基材の上面に、前記表地を前記上ケースの内壁面に押圧する押圧凸部を複数形成してなる
構成となっている。
【００１２】
また、前記上ケースの前記カーペット取付側が、先端部に向かい傾斜して形成されてなる構成となっている。
【発明の効果】
【００１３】
請求項１の発明によれば、上ケースの内壁面と基材の上面とで表地を挟持することにより、上ケースと表地との間に隙間が生じなくなり、隙間に手指を挟む等の不具合をなくすことができるようになっている。
【００１４】
請求項２の発明によれば、基材の上面に表地を上ケースの内壁面に押圧する押圧凸部を形成することにより、上ケースと表地とがずれないようになっている。
【００１５】
請求項３の発明によれば、上ケースの前記本体取付側が傾斜して形成されることにより、上ケースと表地との間に段差が極力生じないようにして美観を向上させるとともに、段差によって足や足指を引っ掛ける、あるいは、つまずく等の不具合を防止できるようになっている。
【図面の簡単な説明】
【００１６】
【図１】本発明による電気カーペットの外観斜視図である。
【図２】本発明による電気カーペットの分解斜視図である。
【図３】上ケースの裏面斜視図である。
【図４】支持部材の上面図、平面図、下面図、断面図である。
【図５】コントローラと本体の接続を示す要部断面図である。
【図６】従来例を示す要部断面図である。
【発明を実施するための形態】
【００１７】
以下、本発明の実施の形態を、添付図面に基づいた実施例として詳細に説明する。
【実施例１】
【００１８】
本発明による電気カーペットは、図１の外観斜視図で示すように、ＰＰ（ポリプロピレン）フィルムと不織布またはフェルトを積層した表地３と、ポリエステル布地またはフェルトからなる裏地４と、これら表地３と裏地４との間に蛇行状に配設される発熱線５とからなる矩形状に形成された本体１と、同本体１の一角と接続され、発熱線５を制御する後述する制御基板９を内蔵するとともに、上面に操作部２ａを備えた樹脂材からなるコントローラ２とで構成されている。
【００１９】
コントローラ２は、図２の分解斜視図で示すように、樹脂材からなり下面が開放された矩形状の上ケース７と、同様に樹脂材からなり、上面が開放された下ケース８と、これらの間に収納される制御基板９及び後述する支持部材１０とからなり、同コントローラ２に本体１の角部が固定されるようになっている。
【００２０】
表地３と裏地４と、これらの間に配設される発熱線５とからなる本体１は、図２で示すように、一角が矩形状に切り欠かれコントローラ２との固定部１ａとなっている。同固定部１ａには、コントローラ２を固定するための、小径のピン挿通孔６ｂが複数穿設され、また、大径の一対のボス挿通孔６ａが穿設されている。
【００２１】
下ケース８は、図２で示すように、底面８ａと、同底面８ａの周囲に設けられた側壁８ｂとからなり、底面８ａ上には、これを横断するように内部リブ８ｄが設けられている。同内部リブ８ｄに区画されて、本体１を取付ける本体固定部８ｃと、後述する制御基板９が収納される基板収納部８ｊとが下ケース８の内壁面を形成するようになっている。本体固定部８ｃは側壁８ｂが切欠かれ平坦状に形成されており、上記した本体１のピン挿通孔６ｂに対応するとともに、後述する支持部材１０のボス１０ｅに穿設された挿入孔１０ｆに挿入される、円柱状に形成された凸部としてのピン８ｆが複数立設されている。また、本体１のボス挿通孔６ａに対応するとともに、後述する上ケース７の位置合わせピン７ｇが挿入される挿入孔８ｈを穿設したボス８ｇが一対となって立設されている。内部リブ８ｄと側壁８ｂとの間には制御基板９が収納される基板収納部８ｊが形成されており、内部リブ８ｄには、本体１から導出され、制御基板９に接続される発熱線５が挿通する複数の切欠き８ｅが形成されている。
【００２２】
制御基板９の上面には、各種の電子部品が搭載されるとともに、内部リブ８ｄの複数の切欠き８ｅを通過するように配置された発熱線５が接続される図示しない接続部が形成されている。発熱線５は制御基板９を介して電力の供給を受けるとともに、本体１での発熱量を調節されるようになっている。
【００２３】
上ケース７は側壁７ｂを備え、図３で示すように、内部リブ７ｄにより、本体１を取付ける本体固定部７ｃと上面７ａとが区画され、これらが上ケース７の内壁面を形成するようになっている。本体固定部７ｃは、下ケース８と同様に、側壁７ｂが切欠かれて平坦状に形成され、後述する支持部材１０のピン１０ｄが挿入される挿入孔７ｆを穿設したボス７ｅが複数立設されるとともに、後述する支持部材１０の切欠き１０ｇを挿通し、上記した下ケース８のボス８ｇに穿設された挿入孔８ｈに挿入される位置合わせピン７ｇが一対となって立設されている。上ケース７と下ケース８とを組付ける際、上ケース７の位置合わせピン７ｇを下ケース８のボス８ｇの孔８ｈに挿入することにより、正確な位置合わせが行え組立作業が容易となっている。また、上面７ａの中央部には、制御基板９を上面から押さえつけ固定する固定用ボス７ｈが立設されている。また、上ケース７には、上記したように、操作部２ａが設けられ、電源の入切操作や、本体１の温度調節や、本体１の発熱範囲の変更等を操作することが可能になっている。
【００２４】
次に、支持部材１０について説明する。図４（Ａ）及び図４（Ｃ）に示すように、Ｌ字状に形成された支持部材１０は、後述するようにコントローラ２の内部に設けられ、上ケース７と本体１の表地３との間に隙間が生じないようにするとともに、本体１から制御基板９に接続される発熱線５に対し、不要な押圧力が掛からないようにするための部材である。
【００２５】
支持部材１０は、図４（Ｂ）の平面図と図４（Ａ）の上面図及び図４（Ｃ）の下面図で示すように、薄板でＬ字状に形成された樹脂材からなる基材１０ａと、同基材１０ａに一体に形成された後述する凸部としてのピン１０ｄ、押圧凸部としての押圧ピン１０ｃ及び凹部としての孔１０ｆを穿設したボス１０ｅとからなっている。
【００２６】
基材１０ａの内周縁側には、下ケース８に形成されたボス８ｇに対応する一対の円弧状の切欠き１０ｇが形成され、上面には、図４（Ｄ）の断面図で示すように、三角錐状に形成された押圧ピン１０ｃが基材１０ａの長手方向に沿って複数設けられるとともに、同押圧ピン１０ｃと平行して、上ケース７のボス７ｅに穿設された挿入孔７ｆに挿入される円柱状に形成された凸部としてのピン１０ｄが複数設けられている。また、基材１０ａの下面には、図４（Ｃ）の下面図で示すように、上面のピン１０ｄと同軸上に、下ケース８のピン８ｆに対応し、同ピン８ｆが挿入される孔１０ｆを穿設したボス１０ｅが複数垂下されている。
【００２７】
次に、本体１とコントローラ２の固定手順について説明する。図５で示すように、まず、本体１の表地３と裏地４との間に支持部材１０を挟み込み、上面のピン１０ｄを表地３の裏面３ｂから表面３ａに向かいピン挿通孔６ｂに挿入するとともに、下面のボス１０ｅを裏地４の表面４ａから裏面４ｂに向かいピン挿通孔６ｂに挿入する。
【００２８】
次に、下ケース８のピン８ｆを、裏地４のピン挿通孔６ｂに挿入された支持部材１０のボス１０ｅに穿設された孔１０ｆに挿入する。次に、表地３と裏地４との間から下ケース８の基板収納部８ｊ側に導出されている複数の発熱線５を、内部リブ８ｄの切欠き８ｅを通過させた後、下ケース８の基板収納部８ｊに収納されている制御基板９の図示しない接続部に接続する。
【００２９】
続いて、上ケース７を下ケース８に被せ、上ケース７の位置合わせピン７ｇを支持部材１０の切欠き１０ｇに挿通させるとともに、下ケース８のボス８ｇの挿入孔８ｈに挿入して上ケース７と下ケース８との位置合わせを行なう。次に、上ケース７の本体固定部８ｃに形成されたボス７ｅを表地３のピン挿通孔６ｂに挿入するとともに、ボス７ｅの挿入孔７ｆに支持部材１０の上面に形成されたピン１０ｄを挿入する。これにより上ケース７が支持部材１０を介して下ケース８に装着され、この状態で図示しない複数の螺子孔と螺子により上ケース７と下ケース８とを螺合させる。
【００３０】
次に、効果について説明する。図５は、本体１とコントローラ２とが固定された状態を示す断面図である。本体１の裏地４は、下ケース８の本体固定部８ｃと、支持部材１０の基材１０ａとに挟持される。上ケース７は先端部７ｊに向かい緩やかに下降する傾斜面となって形成されている。本体１の表地３は上ケース７の本体固定部７ｃと、支持部材１０の基材１０ａとに挟持されるとともに、基材１０ａの上面に形成された三角錐状の押圧ピン１０ｃにより上ケース７の本体固定部７ｃに向かい押圧され，上ケース７と表地３とのズレが防止されるようになっている。また、コントローラ２近傍の本体１に人が乗り、本体１がその荷重により沈み込もうとしても、支持部材１０の基材１０ａが、上ケース７近傍の本体１の沈み込みを防ぎ、上ケース７の上面と表地３との上面との間に隙間が発生することを防止するようになっている。これは、下ケース８の本体固定部８ｃに立設された複数のピン８ｆが、支持部材１０の基材１０ａ下面のボス１０ｅに穿設された孔１０ｆに挿入されるとともに、支持部材１０の基材１０ａ上面のピン１０ｄが、上ケース７の本体固定部７ｃのボス７ｅに穿設された挿入孔７ｆに挿入され、支持部材１０が上ケース７と下ケース８とに支持されることにより、荷重が掛かっても、基材１０ａが傾かないようになっており、これにより、上ケース７と表地３との間に隙間が生じることを防ぐことができるようになっている。これにより、コントローラ２と表地３との間に隙間が生じ、生じた隙間に指等が挟み込まれるような不具合の発生を防止できるようになっている。また、上ケース７は先端部７ｊに向かい緩やかに下降する傾斜面となって形成され、これによりコントローラ２と本体１との段差がないことにより、段差によって足や足指を引っ掛けるあるいは、つまずく等の不具合を防止できるようになっている。
【００３１】
また、本体１から導出され制御基板９に接続される発熱線５が、下ケース８の底面と支持部材１０の基材１０ａとの間とで形成された通路を通過し、また、内部リブ８ｄの切欠き８ｅを通過するようにしているので、例えば、図６（Ｂ）の従来例においては、発熱線を制御基板に接続する際に、発熱線が下ケースの本体固定部の上方に延出したリブの上を通過させる必要があるが、本願においては、リブの上を通過させずに済むので、本体１に人が乗り、荷重が掛かった場合においても発熱線がリブに押しつけられて折れ曲がるような不具合を防ぐことができるようになっている。また、コントローラ２を持ち、本体１を移動させるような場合、コントローラ２が本体１に対し折れ曲がるが、そのような際にも、発熱線５がリブに押しつけられ折れ曲がることがないので、発熱線５を屈曲から保護する構造となっている。これにより、電気的な安全性を向上させることができるようになっている。
【００３２】
以上、説明したように、コントローラ２内部に設けた支持部材１０により、本体１とコントローラ２との間に段差と隙間が生じないようにして美観性を向上させ、且つ発熱線５の安全性を高めた電気カーペットとすることができるようになっている。尚、本発明は、上記した構造に限定されるものでなく、例えば、上ケース７と、下ケース８と、支持部材１０に設けられる凸部及び凹部は、ピン及びボスに限定されるものでなく、また、凸部と凹部は位置を入れ換えてもよい。
【符号の説明】
【００３３】
１  本体
１ａ  固定部
２  コントローラ
２ａ  操作部
３  表地
４  裏地
５  発熱線
６ａ  ボス挿通孔
６ｂ  ピン挿通孔
７  上ケース
７ａ  上面
７ｂ  側壁
７ｃ  本体固定部
７ｄ  内部リブ
７ｅ  ボス
７ｆ  挿入孔
７ｇ  位置合わせピン
７ｈ  固定用ボス
７ｊ  先端部
８  下ケース
８ａ  底面
８ｂ  側壁
８ｃ  本体固定部
８ｄ  内部リブ
８ｅ  切欠き
８ｆ  ピン
８ｇ  ボス
８ｈ  挿入孔
８ｊ  基板収納部
９  制御基板
１０  支持部材
１０ａ  基材
１０ｃ  押圧ピン
１０ｄ  ピン
１０ｅ  ボス
１０ｆ  孔
１０ｇ  切欠き
【図１】
2011058723.tif 000003
【図２】
2011058723.tif 000004
【図３】
2011058723.tif 000005
【図４】
2011058723.tif 000006
【図５】
2011058723.tif 000007
【図６】
2011058723.tif 000008